【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
ノードＢによって、そのノードＢに属するローカルセルのフラクショナル専用物理的チャンネル能力情報を無線ネットワーク制御装置へ報告し、
無線ネットワーク制御装置によって、ノードＢにより報告されたフラクショナル専用物理的チャンネル能力情報にしたがってノードＢのリソースの分配について決定を行い、
無線ネットワーク制御装置により決定にしたがってリソース分配命令をノードＢへ送信し、
ノードＢによってリソース分配命令にしたがってリソースを分配するステップを含んでいる基地局ノード、即ちノードＢのリソースを分配する方法。
【請求項２】
ノードＢのリソースの分配について決定を行うステップは、
ローカルセルがフラクショナル専用物理的チャンネルをサポートしている場合には、ユーザ装置により開始される無線リソース制御接続設定リクエストを受信するときローカルセルにより提供されるサービスを使用するセル中のユーザ装置に対してフラクショナル専用物理的チャンネルおよび高速度ダウンリンクパケットアクセスリソースを分配するように無線ネットワーク制御装置によってノードＢに命令するステップを含んでいる請求項１記載のノードＢのリソースを分配する方法。
【請求項３】
ノードＢのリソースの分配についての決定は、
ローカルセルがフラクショナル専用物理的チャンネルをサポートしないならば、ユーザ装置により開始される無線リソース制御接続設定リクエストを受信するときローカルセルにより提供されたサービスを使用するセル中のユーザ装置に対して専用物理的データチャンネルおよび専用物理的制御チャンネルリソースを分配するように無線ネットワーク制御装置によってノードＢに命令するステップを含んでいる請求項１記載のノードＢのリソースを分配する方法。
【請求項４】
ノードＢに属するローカルセルのフラクショナル専用物理的チャンネル能力情報を無線ネットワーク制御装置へ報告するステップは、
無線ネットワーク制御装置から監査メッセージを受信するときローカルセルのフラクショナル専用物理的チャンネル能力情報をノードＢによって報告するステップを含んでいる請求項１記載のノードＢのリソースを分配する方法。
【請求項５】
ローカルセルのフラクショナル専用物理的チャンネル能力情報は「監査応答」メッセージによって請求項４記載のノードＢのリソースを分配する方法。
【請求項６】
ノードＢに属するローカルセルのフラクショナル専用物理的チャンネル能力情報を無線ネットワーク制御装置へ報告するステップは、
ローカルセルのフラクショナル専用物理的チャンネル能力情報が変更されたときローカルセルのフラクショナル専用物理的チャンネル能力情報をノードＢにより報告するステップを含んでいる請求項１記載のノードＢのリソースを分配する方法。
【請求項７】
ローカルセルのフラクショナル専用物理的チャンネル能力情報は「リソース状態指示」メッセージによって報告される請求項６記載のリソースを分配する方法。
【請求項８】
ノードＢに属するローカルセルのフラクショナル専用物理的チャンネル能力情報を無線ネットワーク制御装置へ報告するステップにおいて、ノードＢはローカルセルのフラクショナル専用物理的チャンネル能力情報を表すために新たに付加された情報要素または拡張された既存の情報要素を利用する請求項１記載のノードＢのリソースを分配する方法。
【請求項９】
ローカルセルのフラクショナル専用物理的チャンネル能力情報を無線ネットワーク制御装置へ報告するように構成された能力情報報告装置と、
能力情報報告装置により報告されたフラクショナル専用物理的チャンネル能力情報にしたがって無線ネットワーク制御装置から送信されたリソース分配命令を受信するように構成された割当命令受信装置と、
割当命令受信装置により受信されたリソース分配命令にしたがってリソースを分配するように構成されたリソース割当装置とを具備している基地局ノード。
【請求項１０】
リソース割当て装置は、
リソース分配命令が第１の命令であるとき、フラクショナル専用物理的チャンネルおよび高速度ダウンリンクパケットアクセスリソースを分配するように構成されている第１の割当て装置と、
リソース分配命令が第２の命令であるとき、シグナリング及びデータを伝送するためにユーザ装置に対して専用物理的データチャンネルおよび専用物理的制御チャンネルリソースを分配するように構成されている第２の割当て装置とを具備している請求項９記載のノード。
【請求項１１】
ノードＢにより報告されたフラクショナル専用物理的チャンネル能力情報を得るように構成された能力情報獲得装置と、
能力情報獲得装置により得られたフラクショナル専用物理的チャンネル能力情報にしたがってノードＢのリソースの分配について決定の行うように構成された意思決定装置と、
意思決定装置により行われた決定にしたがってリソース分配命令をノードＢへ送信するように構成された割当命令送信装置を具備している無線ネットワーク制御装置。
【請求項１２】
意思決定装置は、
報告されたフラクショナル専用物理的チャンネル能力情報が「ケパブル」であるとき、ユーザ装置により開始される無線リソース制御接続設定リクエストに応答してユーザ装置に対してフラクショナル専用物理的チャンネルおよび高速度データリンクパケットアクセスリソースを分配するようにノードＢに命令するように構成されている第１の意思決定装置を具備している請求項１１記載の無線ネットワーク制御装置。
【請求項１３】
意思決定装置はさらに、
報告されたフラクショナル専用物理的チャンネル能力情報が「ケパブルでない」とき、ユーザ装置により開始される無線リソース制御接続設定リクエストに応答してユーザ装置に対して専用物理的データチャンネルおよび専用物理的制御チャンネルリソースを分配するようにノードＢに命令するように構成されている第２の意思決定装置を具備している請求項１２記載の無線ネットワーク制御装置。
【請求項１４】
ノードＢと無線ネットワーク制御装置を具備している移動体通信システムにおいて、
ノードＢはローカルセルのフラクショナル専用物理的チャンネル能力情報を無線ネットワーク制御装置へ報告し、無線ネットワーク制御装置からリソース分配命令を受信し、リソース分配命令にしたがってリソースを分配するように構成され、
無線ネットワーク制御装置は報告されたフラクショナル専用物理的チャンネル能力情報を得て、フラクショナル専用物理的チャンネル能力情報にしたがってノードＢのリソース分配について意思決定を行い、リソース分配命令をノードＢへ送信するように構成されている移動体通信システム。
【請求項１５】
ノードＢは、
ローカルセルのフラクショナル専用物理的チャンネル能力情報を無線ネットワーク制御装置へ報告するための能力情報報告装置と、
能力情報報告装置により報告されたフラクショナル専用物理的チャンネル能力情報にしたがって無線ネットワーク制御装置から送信されたリソース分配命令を受信するための割当命令受信装置と、
リソース分配命令が第１の命令であるとき、ユーザ装置に対してフラクショナル専用物理的チャンネルおよび高速度ダウンリンクパケットアクセスリソースを分配する第１の割当て装置と、
リソース分配命令が第２の命令であるとき、シグナリングとデータを伝送するためにユーザ装置に対して専用物理的データチャンネルおよび専用物理的制御チャンネルリソースを分配する第２の割当て装置とを具備している請求項１４記載の移動体通信システム。
【請求項１６】
無線ネットワーク制御装置は、
ノードＢにより報告されたフラクショナル専用物理的チャンネル能力情報を得るための能力情報獲得装置と、
報告されたフラクショナル専用物理的チャンネル能力情報が「ケパブル」であるときユーザ装置により開始される無線リソース制御接続設定リクエストに応答してユーザ装置に対してフラクショナル専用物理的チャンネルおよび高速度ダウンリンクパケットアクセスリソースを分配するようにノードＢに命令する第１の意思決定装置と、
決定実効装置の決定にしたがってノードＢへリソース分配命令を送信する割当命令送信装置とを具備している請求項１４記載の移動体通信システム。
【請求項１７】
無線ネットワーク制御装置はさらに、
報告されたフラクショナル専用物理的チャンネル能力情報が「ケパブルでない」ときユーザ装置により開始される無線リソース制御接続設定リクエストに応答してユーザ装置に対する専用物理的データチャンネルおよび専用物理的制御チャンネルリソースを分配するようにノードＢに命令するように構成されている第２の意思決定装置を具備している請求項１６記載の移動体通信システム。
【手続補正２】
【補正対象書類名】明細書
【補正対象項目名】００２５
【補正方法】変更
【補正の内容】
【００２５】
新たに付加されたＩＥは“Ｆ−ＤＰＣＨ能力（フラクショナル専用物理的チャンネル能力）”と呼ばれることができ、その実行形態が表１に示されている。
【表１】
2009527932.tif 000001
ここで、Ｍは強制を意味し、Ｏは随意選択的を意味し、Ｃは条件的を意味し、ＥＤＣＨは強化された専用チャンネルを意味し、ＤＬはダウンリンクを意味し、ＵＬはアップリンクを意味し、ＳＦは拡散ファクタを意味する。
【手続補正３】
【補正対象書類名】明細書
【補正対象項目名】００４４
【補正方法】変更
【補正の内容】
【００４４】
本発明の第２の実施形態では、ローカルセルのＦ−ＤＰＣＨ能力が「ケパブル」から「ケパブルでない」へ変更される例を取ると、変更されたＦ−ＤＰＣＨ能力情報（ケパブルでない）は表３に示されているようにメッセージ中で伝送されることができる。
【表３】
2009527932.tif 000002
【表４】
2009527932.tif 000003
ここで、Ｍは強制を意味し、Ｏは随意選択的を意味し、Ｃは条件的を意味し、ＥＤＣＨは強化された専用チャンネルを意味し、ＤＬはダウンリンクを意味し、ＵＬはアップリンクを意味し、ＳＦは拡散ファクタを意味する。